(57)【特許請求の範囲】
【請求項１】
第１の方向に偏光する第１偏光光を射出する光源部と、
前記光源部から射出された前記第１偏光光を走査する光スキャナーと、
前記光スキャナーによって走査された前記第１偏光光を反射し、かつ、前記第１の方向と直交する第２の方向に偏光する第２偏光光を透過させる反射光学部と、
互いに格子パターンが等価である第１の回折格子および第２の回折格子を含み、前記反射光学部にて反射された前記第１偏光光を回折させる回折光学部と、
前記反射光学部の前記回折光学部と反対側に位置し、前記第２偏光光を透過させる偏光選択部と、
を備え、
前記回折光学部は、前記第１偏光光を回折させ、前記第２偏光光を回折させず、
前記第２の回折格子は、前記第１の回折格子にて回折した前記第１偏光光を回折させることを特徴とする画像表示装置。
【請求項２】
前記回折光学部は、
等方性屈折率材料からなる格子パターンを有する前記第１の回折格子および前記第２の回折格子と、
前記第１偏光光が前記回折光学部へ入射する方向から見て、前記第１の回折格子および前記第２の回折格子の各々の格子パターンの間に複屈折材料が充填された複屈折部と、
を備える請求項１に記載の画像表示装置。
【請求項３】
前記等方性屈折率材料の屈折率をｎ０とし、
前記複屈折部の前記第１の方向の屈折率をｎ１とし、
前記複屈折部の前記第２の方向の屈折率をｎ２としたとき、
ｎ１およびｎ２は互いに異なり、かつ、ｎ０およびｎ２は互いに等しい請求項２に記載の画像表示装置。
【請求項４】
前記回折光学部は、前記等方性屈折率材料からなる基板を含み、
前記基板の両側の板面に複数の凹部が設けられ、
前記複数の凹部に前記複屈折材料が充填されている請求項２または３に記載の画像表示装置。
【請求項５】
前記反射光学部は、凹面の反射面を有する半透鏡を含む請求項１ないし４のいずれか１項に記載の画像表示装置。
【請求項６】
前記回折光学部は、前記第１偏光光を回折させることにより、前記回折光学部に入射する前記第１偏光光を複数の光束に分割する請求項１ないし５のいずれか１項に記載の画像表示装置。
【請求項７】
前記回折光学部により回折された前記第１偏光光と、前記回折光学部により回折されなかった前記第２偏光光とを、使用者の眼に到達させるように構成されている請求項１ないし６のいずれか１項に記載の画像表示装置。
【発明の詳細な説明】
【技術分野】
【０００１】
本発明は、画像表示装置に関するものである。
【背景技術】
【０００２】
瞳の網膜に直接レーザーを照射し、使用者に画像を視認させる表示装置としてヘッドマウントディスプレイ（ＨＭＤ）が知られている。
【０００３】
ヘッドマウントディスプレイは、一般に、光を出射する発光装置と、出射した光が使用者の網膜を走査するように光路を変更する走査手段と、を備えている。このようなヘッドマウントディスプレイにより、使用者は、例えば外の景色と走査手段によって描かれる画像の双方を同時に視認することができる。
【０００４】
例えば、特許文献１には、光源装置と、透過型空間光変調素子と、ホログラフィック高分子分散液晶光学素子と、２枚の１／４波長板と、自由曲面半透鏡と、偏光板と、を備える画像表示装置が開示されている。光源装置から出射した光束は、透過型空間光変調素子で画像情報に応じて変調され、ホログラフィック高分子分散液晶光学素子に入射する。この光学素子では、入射画像光のうち、Ｐ偏光画像光を回折させ、Ｓ偏光画像光については回折させない。回折した画像光は、１／４波長板に入射し、円偏光画像光として自由曲面半透鏡に入射する。そして、自由曲面半透鏡で反射された後、再び１／４波長板に入射し、Ｓ偏光画像光としてホログラフィック高分子分散液晶光学素子に入射する。この光学素子では、Ｓ偏光画像光を回折させることなく透過させるため、透過したＳ偏光画像光はそのまま使用者の瞳に入射する。
【０００５】
一方、自由曲面半透鏡の背後から到達する背景光は、偏光板、１／４波長板、自由曲面半透鏡、１／４波長板、およびホログラフィック高分子分散液晶光学素子を順次透過して使用者の瞳に入射する。このとき、背景光は、偏光板において直線偏光背景光となり、１段目の１／４波長板において円偏光背景光となり、自由曲面半透鏡を透過後、２段目の１／４波長板においてＳ偏光背景光となり、ホログラフィック高分子分散液晶光学素子に入射する。前述したように、この光学素子では、Ｓ偏光背景光を回折させることなく透過させるため、透過したＳ偏光背景光はそのまま使用者の瞳に入射する。
【０００６】
したがって、このような特許文献１に記載の画像表示装置では、背景に画像を重畳させることができるので、いわゆるシースルー機能を備える眼鏡型虚像表示装置（ヘッドマウントディスプレイ）となる。
【０００７】
ところで、このようなヘッドマウントディスプレイを使用する使用者が画像を正常に視認し続けるためには、瞳に入射する画像光や背景光の光束を使用者の瞳に合わせ続ける必要がある。しかしながら、画像を視認する際、使用者の瞳を固定することは困難であり、使用者の意図に反して瞳が動くことも多い。このようにして瞳が動くと、光束が使用者の瞳から外れることになる。その結果、画像や背景等の表示には視野欠け（ケラレ）が発生し、使用者は、本来の画像を視認することができなくなり、視認性が低下する。
【先行技術文献】
【特許文献】
【０００８】
【特許文献１】特開２００３−３１５７２７号公報
【発明の概要】
【発明が解決しようとする課題】
【０００９】
本発明の目的は、簡易な構成で、シースルー性と視認性とを有する画像表示装置が得られる。
【課題を解決するための手段】
【００１０】
このような目的は、下記の本発明により達成される。
本発明の画像表示装置は、第１の方向に偏光する第１偏光光を射出する光源部と、
前記光源部から射出された前記第１偏光光を走査する光スキャナーと、
前記光スキャナーによって走査された前記第１偏光光を反射し、かつ、前記第１の方向と直交する第２の方向に偏光する第２偏光光を透過させる反射光学部と、
互いに格子パターンが等価である第１の回折格子および第２の回折格子を含み、前記反射光学部にて反射された前記第１偏光光を回折させる回折光学部と、
前記反射光学部の前記回折光学部と反対側に位置し、前記第２偏光光を透過させる偏光選択部と、
を備え、
前記回折光学部は、前記第１偏光光を回折させ、前記第２偏光光を回折させず、
前記第２の回折格子は、前記第１の回折格子にて回折した前記第１偏光光を回折させることを特徴とする。
【００１１】
これにより、外界光（第２偏光光）については回折光学部で回折されることなく透過する一方、映像光（第１偏光光）については回折光学部で複数の光束に分割されつつ透過するので、歪みや滲み等の少ない外界像を視認することができ、かつ、映像光の分割によって出射瞳を拡大することができ、優れたシースルー性と高い視認性とを両立した画像表示装置が得られる。
【００１２】
また、かかる画像表示装置は、映像光を走査する方式が採用されているので、使用者は、映像光によって形成される点像の集合体として画像を認識する。したがって、映像光の光束の直径は非常に小さくて済み、映像光が反射光学部で反射される際、反射面の収差に基づく画像の歪みや滲み等を最小限に抑えることができる。その結果、画像の解像度を高めることができる。
【００１３】
本発明の画像表示装置では、前記回折光学部は、
等方性屈折率材料からなる格子パターンを有する前記第１の回折格子および前記第２の回折格子と、
前記第１偏光光が前記回折光学部へ入射する方向から見て、前記第１の回折格子および前記第２の回折格子の各々の格子パターンの間に複屈折材料が充填された複屈折部と、
を備えることが好ましい。
【００１４】
これにより、回折光学部に入射した映像光は、回折格子の格子パターンの配列方向に沿って複数の光束に分割されつつ回折光学部を透過する。その結果、複数に分割された映像光の光束が使用者の眼に入射し、使用者は、画像情報に応じた虚像を、さらに前記方向に沿って複数に複製した光束による像として視認することができる。
【００１５】
本発明の画像表示装置では、前記等方性屈折率材料の屈折率をｎ０とし、
前記複屈折部の前記第１の方向の屈折率をｎ１とし、
前記複屈折部の前記第２の方向の屈折率をｎ２としたとき、
ｎ１およびｎ２は互いに異なり、かつ、ｎ０およびｎ２は互いに等しいことが好ましい。
【００１６】
これにより、第１偏光光については回折させることができ、かつ、第２偏光光については回折させないようにすることができる。その結果、特に優れたシースルー性と高い視認性とを両立した画像表示装置が得られる。
【００１７】
本発明の画像表示装置では、前記回折光学部は、前記等方性屈折率材料からなる基板を含み、
前記基板の両側の板面に複数の凹部が設けられ、
前記複数の凹部に前記複屈折材料が充填されていることが好ましい。
【００１８】
これにより、回折光学部は、容易かつ高い精度で製造可能なものとなる。このため、寸法精度が高く、収差の少ない回折光学部が得られる。
【００１９】
本発明の画像表示装置では、前記反射光学部は、凹面の反射面を有する半透鏡を含むことが好ましい。
【００２０】
これにより、使用者は、反射光学部の反射面上に形成された画像よりも拡大された虚像を視認することが可能になる。その結果、使用者の視認性を高めることができる。
【００２１】
本発明の画像表示装置では、前記回折光学部は、前記第１偏光光を回折させることにより、前記回折光学部に入射する前記第１偏光光を複数の光束に分割することが好ましい。
【００２２】
これにより、第１偏光光の射出瞳が拡大され、この光によって形成される像の視認性がより高くなる。
【００２３】
本発明の画像表示装置では、前記回折光学部により回折された前記第１偏光光と、前記回折光学部により回折されなかった前記第２偏光光とを、使用者の眼に到達させるように構成されていることが好ましい。
これにより、優れたシースルー性と高い視認性とを両立した画像表示装置が得られる。
【図面の簡単な説明】
【００２４】
【図１】本発明の画像表示装置の第１実施形態（ヘッドマウントディスプレイ）の概略構成を示す図である。
【図２】図１に示す画像表示装置の部分拡大図である。
【図３】図１に示す画像表示装置の信号生成部の概略構成図である。
【図４】図１に示す走査光出射部に含まれる光走査部の概略構成を示す図である。
【図５】図１に示す画像表示装置の作用を模式的に説明するための図である。
【図６】図６（ａ）は、図５に示す回折光学部をＹ軸方向から見た図であり、図６（ｂ）は、回折光学部をＸ軸方向から見た図である。
【図７】第２実施形態に係る画像表示装置の作用を模式的に説明するための図である。
【図８】図８（ａ）は、図７に示す回折光学部をＹ軸方向から見た図であり、図８（ｂ）は、回折光学部をＸ軸方向から見た図である。
【図９】本発明の画像表示装置の第３実施形態（ヘッドアップディスプレイ）を示す図である。
【発明を実施するための形態】
【００２５】
以下、本発明の画像表示装置について、添付図面に示す好適実施形態に基づいて詳細に説明する。
【００２６】
＜画像表示装置＞
≪第１実施形態≫
まず、本発明の画像表示装置の第１実施形態について説明する。
【００２７】
図１は、本発明の画像表示装置の第１実施形態（ヘッドマウントディスプレイ）の概略構成を示す図、図２は、図１に示す画像表示装置の部分拡大図である。また、図３は、図１に示す画像表示装置の信号生成部の概略構成図、図４は、図１に示す走査光出射部に含まれる光走査部の概略構成を示す図、図５は、図１に示す画像表示装置の作用を模式的に説明するための図である。
【００２８】
なお、図１では、説明の便宜上、互いに直交する３つの軸として、Ｘ軸、Ｙ軸およびＺ軸を図示しており、その図示した矢印の先端側を「＋（プラス）」、基端側を「−（マイナス）」とする。また、Ｘ軸に平行な方向を「Ｘ軸方向」、Ｙ軸に平行な方向を「Ｙ軸方向」、Ｚ軸に平行な方向を「Ｚ軸方向」という。
【００２９】
ここで、Ｘ軸、Ｙ軸およびＺ軸は、後述する画像表示装置１を使用者の頭部Ｈに装着した際に、Ｙ軸方向が頭部Ｈの上下方向、Ｚ軸方向が頭部Ｈの左右方向、Ｘ軸方向が頭部Ｈの前後方向となるように設定されている。
【００３０】
図１に示すように、本実施形態の画像表示装置１は、眼鏡のような外観を有するヘッドマウントディスプレイ（頭部装着型画像表示装置）であって、使用者の頭部Ｈに装着して使用され、使用者に虚像による画像を外界像と重畳した状態で視認させる。
【００３１】
この画像表示装置１は、図１に示すように、フレーム２と、信号生成部３と、走査光出射部４と、反射部６と、偏光板８と、回折光学部９と、を備える。
【００３２】
また、画像表示装置１は、図２に示すように、第１光ファイバー７１と、第２光ファイバー７２と、接続部５と、を備える。
【００３３】
この画像表示装置１では、信号生成部３が画像情報に応じて変調された信号光を生成し、その信号光が第１光ファイバー７１、接続部５および第２光ファイバー７２を介して走査光出射部４へ導かれ、走査光出射部４が信号光（映像光）を２次元的に走査して走査光を出射し、反射部６がその走査光を使用者の眼ＥＹに向けて反射する。これにより、画像情報に応じた虚像を使用者に視認させることができる。
【００３４】
なお、本実施形態では、信号生成部３、走査光出射部４、接続部５、反射部６、第１光ファイバー７１、第２光ファイバー７２、偏光板８および回折光学部９をフレーム２の右側にのみ設け、右眼用の虚像のみを形成する場合を例に説明するが、フレーム２の左側を右側と同様に構成することによって、右眼用の虚像と併せて左眼用の虚像も形成してもよいし、左眼用の虚像のみを形成するようにしてもよい。
【００３５】
また、信号生成部３と走査光出射部４との間を光学的に接続する手段は、光ファイバーを介する手段の他、例えば各種の導光体を介する手段で代替することもできる。
なお、接続部５によって第１光ファイバー７１と第２光ファイバー７２が接続されている構成でなくてもよく、接続部５を有さずに第１光ファイバー７１のみによって、信号生成部３と走査光出射部４とが光学的に接続されていてもよい。
【００３６】
以下、画像表示装置１の各部を順次詳細に説明する。
（フレーム）
図１に示すように、フレーム２は、眼鏡フレームのような形状をなし、信号生成部３および走査光出射部４を支持する機能を有する。
【００３７】
また、フレーム２は、図１に示すように、走査光出射部４およびノーズパッド部２１を支持するフロント部２２と、フロント部２２に接続されて使用者の耳に当接する１対のテンプル部（つる部）２３と、各テンプル部２３のフロント部２２と反対の端部であるモダン部２４と、を含む。
【００３８】
ノーズパッド部２１は、使用時に使用者の鼻ＮＳに当接して、画像表示装置１を使用者の頭部に対して支持している。フロント部２２には、リム部２５やブリッジ部２６が含まれる。
【００３９】
このノーズパッド部２１は、使用時における使用者に対するフレーム２の位置を調整可能に構成されている。
【００４０】
なお、フレーム２の形状は、使用者の頭部Ｈに装着することができるものであれば、図示のものに限定されない。
【００４１】
（信号生成部）
図１に示すように、信号生成部３は、前述したフレーム２の一方（本実施形態では右側）のモダン部２４（テンプル部２３のフロント部２２とは反対側の端部）に設けられている。
【００４２】
すなわち、信号生成部３は、使用時に使用者の耳ＥＡに対して眼ＥＹとは反対側に配置されている。これにより、画像表示装置１の重量バランスを優れたものとすることができる。
【００４３】
この信号生成部３は、後述する走査光出射部４の光走査部４２で走査される信号光を生成する機能と、光走査部４２を駆動する駆動信号を生成する機能とを有する。
【００４４】
このような信号生成部３は、図３に示すように、信号光生成部３１と、駆動信号生成部３２と、制御部３３と、光検出部３４と、固定部３５とを備える。
【００４５】
信号光生成部３１は、後述する走査光出射部４の光走査部４２（光スキャナー）で走査（光走査）される信号光を生成するものである。
【００４６】
この信号光生成部３１は、波長の異なる複数の光源３１１Ｒ、３１１Ｇ、３１１Ｂと、複数の駆動回路３１２Ｒ、３１２Ｇ、３１２Ｂと、レンズ３１３Ｒ、３１３Ｇ、３１３Ｂと、光合成部（合成部）３１４とを有する。
【００４７】
光源３１１Ｒ（Ｒ光源）は、赤色光を出射するものであり、光源３１１Ｇ（Ｇ光源）は、緑色光を出射するものであり、光源３１１Ｂ（Ｂ光源）は、青色光を出射するものである。このような３色の光を用いることにより、フルカラーの画像を表示することができる。
【００４８】
このような光源３１１Ｒ、３１１Ｇ、３１１Ｂが、それぞれ特に限定されないが、例えばレーザーダイオード、ＬＥＤを用いることができる。
【００４９】
このような光源３１１Ｒ、３１１Ｇ、３１１Ｂは、それぞれ駆動回路３１２Ｒ、３１２Ｇ、３１２Ｂに電気的に接続されている。
【００５０】
駆動回路３１２Ｒは、前述した光源３１１Ｒを駆動する機能を有し、駆動回路３１２Ｇは、前述した光源３１１Ｇを駆動する機能を有し、駆動回路３１２Ｂは、前述した光源３１１Ｂを駆動する機能を有する。
【００５１】
このような駆動回路３１２Ｒ、３１２Ｇ、３１２Ｂにより駆動された光源３１１Ｒ、３１１Ｇ、３１１Ｂから出射された３つ（３色）の光は、レンズ３１３Ｒ、３１３Ｇ、３１３Ｂを介して、光合成部３１４に入射する。
【００５２】
レンズ３１３Ｒ、３１３Ｇ、３１３Ｂは、それぞれコリメーターレンズである。これにより、光源３１１Ｒ、３１１Ｇ、３１１Ｂから射出された光は、それぞれ平行光とされ、光合成部３１４に入射する。
【００５３】
光合成部３１４は、複数の光源３１１Ｒ、３１１Ｇ、３１１Ｂからの光を合成するものである。これにより、信号光生成部３１で生成される信号光を走査光出射部４へ伝送するための光ファイバーの数を少なくすることができる。そのため、本実施形態では、第１光ファイバー７１、接続部５および第２光ファイバー７２からなる１本の光伝送経路を介して信号生成部３から走査光出射部４へ信号光を伝送することができる。
【００５４】
本実施形態では、光合成部３１４は、３つのダイクロイックミラー３１４ａ、３１４ｂ、３１４ｃを有し、光源３１１Ｒ、３１１Ｇ、３１１Ｂから射出された光（赤色光、緑色光および青色光の３色の光）を合成して１つの信号光を出射する。なお、以下では、光源３１１Ｒ、３１１Ｇ、３１１Ｂをまとめて「光源部３１１」ともいい、信号光生成部３１で生成した信号光を「光源部３１１から射出された光」ともいう。
【００５５】
なお、光合成部３１４は、前述したようなダイクロイックミラーを用いた構成に限定されず、例えば、プリズム、光導波路、光ファイバー等で構成されていてもよい。
【００５６】
このような信号光生成部３１で生成した信号光は、第１光ファイバー７１の一端部に入射する。そして、かかる信号光は、第１光ファイバー７１、接続部５および第２光ファイバー７２をこの順で通過して、後述する走査光出射部４の光走査部４２に伝送される。
【００５７】
ここで、第１光ファイバー７１の信号光の入射側の端部（以下、単に「第１光ファイバー７１の一端部」ともいう）近傍には、光検出部３４が設けられている。この光検出部３４は、信号光を検出する。また、第１光ファイバー７１の一端部および光検出部３４は、固定部３５に固定されている。
【００５８】
駆動信号生成部３２は、後述する走査光出射部４の光走査部４２（光スキャナー）を駆動する駆動信号を生成するものである。
【００５９】
この駆動信号生成部３２は、光走査部４２の第１の方向での走査（水平走査）に用いる第１の駆動信号を生成する駆動回路３２１（第１の駆動回路）と、光走査部４２の第１の方向に直交する第２の方向での走査（垂直走査）に用いる第２の駆動信号を生成する駆動回路３２２（第２の駆動回路）とを有する。
【００６０】
このような駆動信号生成部３２は、図示しない信号線を介して、後述する走査光出射部４の光走査部４２と電気的に接続されている。これにより、駆動信号生成部３２で生成した駆動信号（第１の駆動信号および第２の駆動信号）は、後述する走査光出射部４の光走査部４２に入力される。
【００６１】
前述したような信号光生成部３１の駆動回路３１２Ｒ、３１２Ｇ、３１２Ｂおよび駆動信号生成部３２の駆動回路３２１、３２２は、制御部３３と電気的に接続されている。
【００６２】
制御部３３は、映像信号（画像信号）に基づいて、信号光生成部３１の駆動回路３１２Ｒ、３１２Ｇ、３１２Ｂおよび駆動信号生成部３２の駆動回路３２１、３２２の駆動を制御する機能を有する。すなわち、制御部３３は、走査光出射部４の駆動を制御する機能を有する。これにより、信号光生成部３１が画像情報に応じて変調された信号光を生成するとともに、駆動信号生成部３２が画像情報に応じた駆動信号を生成する。
【００６３】
また、制御部３３は、光検出部３４で検出された光の強度に基づいて、信号光生成部３１の駆動回路３１２Ｒ、３１２Ｇ、３１２Ｂの駆動を制御し得るように構成されている。
【００６４】
（走査光出射部）
図１および図２に示すように、走査光出射部４は、前述したフレーム２のブリッジ部２６近傍（言い換えればフロント部２２の中心近傍）に取り付けられている。
【００６５】
このような走査光出射部４は、図４に示すように、ハウジング４１（筐体）と、光走査部４２と、レンズ４３（カップリングレンズ）と、レンズ４５（集光レンズ）と、支持部材４６とを備える。
【００６６】
ハウジング４１は、支持部材４６を介してフロント部２２に取り付けられている。
また、支持部材４６のフレーム２とは反対側の部分には、ハウジング４１の外表面が接合されている。
【００６７】
ハウジング４１は、光走査部４２を支持するとともに光走査部４２を収納している。また、ハウジング４１には、レンズ４３およびレンズ４５が取り付けられ、レンズ４３、４５がハウジング４１の一部（壁部の一部）を構成している。
【００６８】
また、レンズ４３（ハウジング４１の信号光を透過する窓部）は、第２光ファイバー７２に対して離間している。本実施形態では、第２光ファイバー７２の信号光の出射側の端部は、フレーム２のフロント部２２に設けられた反射部１０に臨む位置で、かつ、走査光出射部４に離間している。
【００６９】
反射部１０は、第２光ファイバー７２から出射した信号光を光走査部４２に向けて反射する機能を有する。また、反射部１０は、フロント部２２の内側に開口する凹部２７に設けられている。なお、凹部２７の開口には、透明材料で構成された窓部で覆われていてもよい。また、この反射部１０は、信号光を反射し得るものであれば、特に限定されず、例えば、ミラー、プリズム等で構成することができる。
【００７０】
光走査部４２は、信号光生成部３１からの信号光を２次元的に走査する光スキャナーである。この光走査部４２で信号光を走査することにより走査光が形成される。具体的には、光走査部４２の光反射面に対し、第２光ファイバー７２から出射した信号光がレンズ４３を介して入射する。そして、駆動信号生成部３２で生成された駆動信号に応じて、光走査部４２を駆動することにより、信号光が２次元的に走査される。
【００７１】
また、光走査部４２は、コイル１７および信号重畳部１８を有しており（図４参照）、コイル１７、信号重畳部１８および駆動信号生成部３２は、光走査部４２を駆動する駆動部を構成する。
【００７２】
レンズ４３は、第１光ファイバー７１から出射した信号光のスポット径を調整する機能を有する。また、レンズ４３は、第１光ファイバー７１から出射した信号光の放射角を調整し、略平行化する機能をも有する。
【００７３】
光走査部４２で走査された信号光（走査光）は、レンズ４５を介して、ハウジング４１の外部へ出射する。
【００７４】
なお、走査光出射部４は、信号光を２次元的に走査する光走査部４２に代えて、信号光を１次元的に走査する複数の光走査部を備えていてもよい。
【００７５】
（反射部）
図１および図２に示すように、反射部６（反射光学部）は、前述したフレーム２のフロント部２２に含まれるリム部２５に取り付けられている。
【００７６】
すなわち、反射部６は、使用時に使用者の眼ＥＹの前方かつ光走査部４２よりも当該使用者に対して遠方側に位置するように配置されている。これにより、画像表示装置１に使用者の顔に対して前方側に張り出した部分が形成されるのを防止することができる。
【００７７】
この反射部６は、図５に示すように、光走査部４２からの信号光を当該使用者の眼ＥＹに向けて反射する機能を有する。
【００７８】
本実施形態では、反射部６は、ハーフミラー（半透鏡）であり、外界光を透過させる機能（可視光に対する透光性）をも有する。すなわち、反射部６は、光走査部４２からの信号光（映像光）を反射させるとともに、使用時において反射部６の外側から使用者の眼に向かう外界光を透過させる機能（コンバイナー機能）を有する。これにより、使用者は、外界像を視認しながら、信号光により形成された虚像（画像）を視認することができる。すなわち、シースルー型のヘッドマウントディスプレイを実現することができる。
【００７９】
また、反射部６のうち、使用者側の面は、凹面の反射面になっている。このため、反射部６で反射された信号光は、使用者側に集束する。したがって、使用者は、反射部６の凹面上に形成された画像よりも拡大された虚像を視認することが可能になる。これにより、使用者による視認性を高めることができる。
【００８０】
一方、反射部６のうち、使用者に対して遠方側の面は、前記凹面とほぼ同じ曲率を有する凸面になっている。このため、外界光は、反射部６で大きく偏向させられることなく、使用者の眼に到達する。したがって、使用者は、歪みの少ない外界像を視認することができる。
【００８１】
なお、反射部６は、例えば回折格子を有していてもよい。この場合、回折格子に様々な光学特性をもたせ、光学系の部品点数を減らしたり、デザインの自由度を高めたりすることができる。例えば、回折格子としてホログラム素子を用いることにより、反射部６で反射する信号光の出射方向を調整したり、反射する信号光の波長を選択したりすることができる。また、回折格子にレンズ効果をもたせることによって、反射部６で反射する信号光からなる走査光全体の結像状態を調整したり、凹面で信号光が反射するときの収差を補正したりすることもできる。
【００８２】
また、反射部６は、例えば、透明基板上に金属薄膜や誘電体多層膜等で構成された半透過反射膜を形成したものであってもよく、偏光ビームスプリッターを用いてもよい。後述するＴＥ波である信号光を反射させ、後述するＴＭ波である外界光を透過するような偏光ビームスプリッターとすれば、シースルー性と視認性とを高めることができる。
【００８３】
（第１光ファイバー、光検出部および固定部）
固定部３５は、光源部３１１から第１光ファイバー７１に入射する光の強度が０よりも大きく所定値以下となる位置に第１光ファイバー７１の一端部を固定する機能を有する。これにより、光源部３１１から第１光ファイバー７１に入射する光の強度を小さくすることができる。
【００８４】
また、固定部３５は、光検出部３４を固定する機能をも有する。これにより、光源部３１１から出射された光（信号光）のうち第１光ファイバー７１に入射しない残部を光検出部３４の検出に有効利用することができる。また、第１光ファイバー７１の一端部と光検出部３４との位置関係を固定（一定に維持）することができる。
【００８５】
このように固定部３５に固定された光検出部３４は、光源３１１Ｂ、３１１Ｇ、３１１Ｒから出射された信号光を分岐する光学系を設けなくても、出射された光の強度を光検出部３４で検出することができる。また、光検出部３４で検出された光の強度に基づいて、光源３１１Ｂ、３１１Ｇ、３１１Ｒから出射される光の強度を制御部３３で調整することができる。なお、制御部３３は、光源３１１Ｂ、３１１Ｇ、３１１Ｒを制御する「光制御部」を構成するといえる。
【００８６】
なお、上記のような固定部３５を設けることは必須ではなく、光源部３１１から射出される光を意図的に減光させることなく光ファイバー７１に結合する構成であってもよい。また、光検出部３４を固定部３５に設けることは必須ではなく、光源部３１１の光量を検出できる位置であれば、光検出部３４の位置は特に限定されない。
【００８７】
（偏光板）
偏光板８（偏光選択部）は、反射部６よりも使用者に対して遠方側に位置するように配置されている。なお、反射部６よりも使用者側には、回折光学部９が配置されているため、偏光板８は、反射部６の回折光学部９と反対側に位置しているといえる。これにより、外界からの光（外界光）は、偏光板８を介して反射部６に入射する。
【００８８】
ここで、外界光は、一般に自然光であり、振動方向が特定の方向に偏らない非偏光の光である。このような外界光が偏光板８に入射すると、特定の方向に偏光した光を選択的に透過させることができる。したがって、偏光板８を透過した光は、直線偏光の光となる。
【００８９】
本実施形態に係る偏光板８は、＋Ｘ側に伝搬する外界光のうち、図５のＺ軸方向に振動するＴＭ波（第２の方向に偏光する光、第２偏光光）のみを透過させ、Ｙ軸方向に振動するＴＥ波（第１の方向に偏光する光、第１偏光光）を遮蔽する。このＴＭ波は、ハーフミラーである反射部６を透過し、回折光学部９に入射する。なお、図５では、外界光Ｌ２を破線で示し、信号光Ｌ１を実線で示す。
【００９０】
なお、偏光板８の固定方法は、特に限定されない。例えば、反射部６に接するように固定されていてもよく、反射部６から離間して固定されていてもよい。
【００９１】
（回折光学部）
図６（ａ）は、図５に示す回折光学部９をＹ軸方向から見た図であり、図６（ｂ）は、回折光学部９をＸ軸方向から見た図である。
【００９２】
回折光学部９は、図６（ａ）に示すように、基板９１と、基板９１の両面（両側の板面）にそれぞれ設けられた複数の並列する溝（凹部）９２と、溝９２に隣り合う凸条９３と、溝９２内にそれぞれ設けられた複屈折部９４と、を備えている。換言すれば、基板９１の両側の板面に複数の溝（凹部）９２が設けられ、溝９２に複屈折材料が充填されて複屈折部９４を構成している。
【００９３】
基板９１は、図６（ｂ）に示すように、信号光や外界光の回折光学部９への入射方向（Ｘ軸方向）から見たとき、矩形をなす板状体である。そして、基板９１の互いに表裏の関係にある２つの主面（板面）のうち、一方の主面には、Ｙ軸方向に延伸する溝９２が、Ｚ軸方向に等間隔で並列している。そして、溝９２のＺ軸方向に隣り合う位置には、凸条９３が配置されている。したがって、Ｚ軸方向において溝９２と凸条９３とが交互に配置されている。また、他方の主面にも、同様に、Ｙ軸方向に延伸する溝９２と、それに隣り合う凸条９３と、が配置されている。そして、一方の主面における溝９２および凸条９３の位置と、他方の主面における溝９２および凸条９３の位置とは、互いに対応している。
【００９４】
このように回折光学部９は、実質的に、基板９１の両面に設けられた、互いに等価な回折格子を有しているといえる。
【００９５】
また、本実施形態に係る回折光学部９では、基板９１と凸条９３とが一体的に形成されている。このような回折光学部９は、平板状の母材の両面に溝９２を加工し、その後、複屈折部９４を設ける方法により、容易かつ正確に製造することができる。このため、寸法精度が高く、収差の少ない回折光学部９が得られる。
【００９６】
本実施形態では、基板９１および凸条９３は、非複屈折材料（等方性屈折率材料）で構成されている。このため、基板９１および凸条９３は、それを透過する光の偏光の状態によらず、単一の屈折率を示す。一方、複屈折部９４は、複屈折材料で構成されている。このため、複屈折部９４は、それを透過する光の偏光の状態によって、２つの異なる屈折率を示す。このような複屈折性の有無は、回折光学部９を透過する光の偏光の状態によって、透過する光の挙動に影響を及ぼす。
【００９７】
すなわち、回折光学部９は、回折光学部９を信号光や外界光の入射方向（Ｘ軸方向）から見たとき、等方性屈折率材料からなる格子パターンである線状の凸条９３（第２領域）と、複数の凸条９３の間に複屈折材料が充填された複屈折部９４（第１領域）と、を備えている。
【００９８】
ここで、基板９１および凸条９３の屈折率をｎ０とし、複屈折部９４が示す２つの屈折率をｎ１、ｎ２とする。また、本実施形態では、複屈折部のＴＥ波（Ｙ軸方向に振動する光（第１偏光光））についての屈折率をｎ１とし、複屈折部のＴＭ波（Ｚ軸方向に振動する光（第２偏光光））についての屈折率をｎ２とする。
【００９９】
本実施形態では、屈折率ｎ０と屈折率ｎ２とが互いに等しくなるように、非複屈折材料および複屈折材料が適宜選択され、かつ、複屈折部９４が構成されている。
【０１００】
このような回折光学部９に対して、図５に示すように、ＴＭ波である外界光Ｌ２が入射する場合について説明する。回折光学部９のうち、凸条９３は、この外界光Ｌ２について屈折率ｎ０を有し、複屈折部９４は、屈折率ｎ２を有する。前述したように、本実施形態では屈折率ｎ０と屈折率ｎ２とが互いに等しいため、回折光学部９は外界光Ｌ２に対し回折格子として機能しない。このため、外界光Ｌ２の光束は、回折光学部９で回折されることなく透過し、使用者の眼ＥＹに入射する。その結果、使用者は、歪みや滲み等の少ない外界像を視認することができる。
【０１０１】
一方、回折光学部９に対して、図５に示すように、ＴＥ波である信号光Ｌ１が入射する場合について説明する。回折光学部９のうち、凸条９３は、この信号光Ｌ１について屈折率ｎ０を有し、複屈折部９４は、屈折率ｎ１を有する。前述したように、本実施形態では屈折率ｎ０と屈折率ｎ１とが互いに異なるため、回折光学部９は信号光Ｌ１に対し回折格子として機能する。このため、信号光Ｌ１は、回折光学部９で回折され、Ｚ軸方向に沿って複数に分割（分岐）されつつ透過する。これにより、複数に分割された信号光Ｌ１の光束が、使用者の眼ＥＹに入射する。その結果、信号光Ｌ１の射出瞳が拡大されるため、使用者の眼が多少移動しても複数の光束のいずれかが瞳孔に入射することとなり、像を観察し易くなる（視認性が向上する）。
【０１０２】
したがって、回折光学部９は、その表面に凹凸形状を有しないものの、屈折率差に基づく位相差に伴って回折を生じさせることから、位相型回折格子として機能する。このような回折光学部９は、表面に凹凸形状を含まないので、凹凸形状に起因する影を生じ難く、それによる光学的な悪影響を回避することができる。
【０１０３】
なお、図５では、一例として信号光Ｌ１の光束が３本の光束に分割された場合を図示している。この３本の光束は、信号光Ｌ１が１対の回折格子で回折された結果、同じ方向に回折された３本の光束である。具体的には、信号光Ｌ１が１対の回折格子のうちの一方の回折格子に入射すると、０次回折光とその両側に位置する１次回折光および−１次回折光とが発生する。次いで、これらの回折光は、基板９１中を伝搬した後、他方の回折格子に到達すると、これらの回折光がさらに回折され、それぞれ複数の回折光を発生させる。このようにして０次回折光、１次回折光および−１次回折光からそれぞれ複数の出射光が発生するが、それらの出射光の中には、出射角が互いに等しい光束が含まれている。そこで、これらの出射角が互いに等しい光束を使用者の眼ＥＹまで導くことにより、上述したような効果が確実に発揮される。
【０１０４】
なお、回折光学部９における信号光Ｌ１の分割数は、特に限定されず、２本であっても、４本以上であってもよく、その場合は、１次回折光や−１次回折光よりも高次の回折光を用いることもできる。
【０１０５】
このようにして信号光Ｌ１が分割されると、３本の光束で構成される射出瞳は、１本の光束で構成される射出瞳よりも実質的に大きくなる。このため、射出瞳が拡大された分だけ、視野欠け（ケラレ）が生じるのを抑制しつつ、眼ＥＹの瞳が一定量移動することが許容されることとなる。その結果、使用者は、瞳が意図せず動いた場合でも、本来の画像を視認することができ、視認性の高い画像表示装置１が得られる。
【０１０６】
また、信号光Ｌ１の光束を複数に分割するとき、分割後の光束の相対的な位置は、使用者の瞳孔の大きさや瞳が動く場合の移動量の傾向に応じて適宜設定される。例えば、瞳孔に少なくとも１本の光束が含まれるように、回折光学部９の位置が適宜設定される。また、信号光Ｌ１の光束が分割されることによって実質的に拡大された射出瞳は、瞳が動く範囲を包含するように適宜設定される。
【０１０７】
また、例えば、瞳孔の一般的な大きさを２〜８ｍｍ程度とし、瞳の移動幅を左右にそれぞれ２ｍｍ程度とした場合、分割後の光束で構成される射出瞳（分割後の光束同士の離間距離）を４ｍｍ以上に設定すればよい。
【０１０８】
また、瞳が移動するとき、一般には、Ｚ軸方向における移動の頻度および移動量が大きい傾向にある。したがって、ヘッドマウントディスプレイのように使用者の眼ＥＹに合わせて頭部Ｈに装着される画像表示装置１の場合、信号光Ｌ１の光束の分割方向がＺ軸方向に沿うように回折光学部９を配置するようにすればよい。これにより、瞳の移動方向と信号光Ｌ１の光束の分割方向とが一致することになり、画像の視認性をより高めることができる。
【０１０９】
このような画像表示装置１によれば、簡易な構成にもかかわらず、外界像に画像を重畳させるシースルー性と、外界像および画像の高い視認性と、を両立させることができる。すなわち、画像表示装置１は、互いに等価な１対の回折格子を含む回折光学部９において、信号光Ｌ１の回折と外界光Ｌ２の非回折とを同時に実現しているので、少ない光学要素でも、画像の射出瞳の拡大を図りつつ、歪みや滲み等の少ない外界像の視認が可能にする。よって、画像表示装置１によれば、複数枚の１／４波長板のような光学要素を用いることなく、シースルー性と視認性との両立が図られている。
【０１１０】
また、画像表示装置１によれば、眼ＥＹの網膜に光を走査する方式が採用されているので、網膜で認識される画像は、信号光Ｌ１によって形成される点像の集合体として認識される。したがって、信号光Ｌ１の光束の直径は、非常に小さくて済むため、信号光Ｌ１が反射部６の凹面で反射される際、凹面の収差に基づく画像の歪みや滲み等を最小限に抑えることができる。すなわち、例えば液晶表示素子のような空間光変調素子によって空間変調された信号光の場合、光束の直径がある程度大きくならざるを得ないため、凹面で反射される際、凹面の収差に基づく画像の歪みや滲み等が増幅され、画像の解像度の低下を招くのに対し、画像表示装置１によれば、前述したように信号光Ｌ１の光束の直径が小さいため、画像の解像度を高めることができる。
【０１１１】
基板９１および凸条９３を構成する非複屈折材料は、光学的に等方性を有する材料であれば、特に限定されないが、例えば、アクリル系樹脂、オレフィン系樹脂、ポリエチレンテレフタレートのような各種樹脂材料、石英ガラス、ホウケイ酸ガラスのような各種ガラス材料、サファイアのような各種結晶材料等が挙げられる。
【０１１２】
複屈折部９４を構成する複屈折材料は、複屈折性を有する材料であれば、特に限定されないが、例えば、ルチル（ＴｉＯ２）、方解石（ＣａＣＯ３）、ニオブ酸リチウム、水晶、液晶、ポリカーボネート、ポリスチレンのような固有複屈折材料等が挙げられる。
【０１１３】
このうち、液晶が好ましく用いられる。液晶によれば、その配向の程度を適宜調整することによって、複屈折部９４の屈折率ｎ１、ｎ２を制御し易くなる。このため、屈折率ｎ０と屈折率ｎ２とを等しくしたり、屈折率ｎ１と屈折率ｎ２との差を最適化したりすることが容易に行える。具体的には、液晶には、棒状の液晶分子が含まれているので、この液晶分子が特定の方向に配向することにより、複屈折部９４には屈折率の異方性が生じる。その結果、複屈折部９４では、ＴＥ波についての屈折率ｎ１とＴＭ波についての屈折率ｎ２とを互いに異ならせることが容易になる。
【０１１４】
また、液晶の配向にあたっては、必要に応じて、溝９２の内面にラビング処理を施したり、配向膜を成膜したりするようにしてもよい。
【０１１５】
なお、屈折率ｎ０と屈折率ｎ２とが等しいとは、両者の屈折率差が０．００５以下である状態をいう。同様に、屈折率ｎ１と屈折率ｎ２とが異なるとは、両者の屈折率差（常光線についての屈折率と異常光線についての屈折率との差）が０．００５超である状態をいう。
【０１１６】
また、屈折率ｎ０と屈折率ｎ２との屈折率差は、０．００３以下であるのが好ましく、屈折率ｎ１と屈折率ｎ２との屈折率差は、０．１以上であるのが好ましい。
【０１１７】
また、複屈折材料は、それ自体が複屈折性を有する材料の他、光の波長より短い構造が周期的または非周期的に集合または配向してなる構造性複屈折材料であってもよい。かかる構造性複屈折材料としては、例えば、直径が波長以下の繊維や細長い粒子が集合した材料が挙げられる。
【０１１８】
なお、本実施形態では、回折光学部９の溝９２および凸条９３の延伸方向に偏光する光をＴＥ波とし、前記延伸方向に直交する方向に偏光する光をＴＭ波とする。
【０１１９】
また、基板９１の両面に設けられた回折格子は、前述したようにその格子パターンが互いに等価である。具体的には、基板９１の一方の主面に形成される溝９２の幅および凸条９３の幅が、それぞれ、他方の主面に形成される溝９２の幅および凸条９３の幅と等しく、また、基板９１の一方の主面に形成される溝９２のピッチおよび凸条９３のピッチが、それぞれ、他方の主面に形成される溝９２のピッチおよび凸条９３のピッチと等しくなっている。また、基板９１の一方の主面に形成される溝９２と他方の主面に形成される溝９２とが平行になっており、また、基板９１の一方の主面に形成される凸条９３と他方の主面に形成される凸条９３とが平行になっている。このような互いに等価な１対の回折格子を設けることにより、回折光学部９に入射する光の入射角と、回折光学部９で回折されて出射される光の出射角とが、互いに等しい関係を有する回折光が存在することとなる。このため、かかる出射光を使用者の眼ＥＹに導くことで、画像情報に応じて走査された信号光Ｌ１の走査角度を維持した状態で画像を視認することができる。このため、走査された信号光Ｌ１が、意図しない方向へ回折されることが防止され、使用者は、高解像度の画像を視認することができる。
【０１２０】
なお、溝９２のピッチや凸条９３のピッチを適宜調整することにより、回折光学部９から出射する光の出射角を調整することができる。したがって、複数の出射光のうち、使用者の眼ＥＹに導く出射光以外の出射光については、適宜遮蔽できるように、その出射角を調整するようにすればよい。これにより、画像の形成に不必要な出射光を遮蔽することができ、よりコントラストの高い画像を生成することができる。
【０１２１】
また、溝９２の幅および凸条９３の幅は、回折光学部９による出射角や複屈折材料の屈折率等に応じて適宜設定されるが、隣り合う溝９２の幅と凸条９３の幅との和、すなわち溝９２や凸条９３のピッチは、回折光学部９から出射される複数の光束の間隔を適切な間隔とするために、２μｍ以下であるのが好ましく、１μｍ以下程度であるのがより好ましい。
【０１２２】
一方、溝９２の深さは、回折効率あるいは製造の容易さの観点から、１μｍ以下であるのが好ましく、０．５μｍ以下程度であるのがより好ましい。
【０１２３】
また、溝９２の幅やピッチおよび凸条９３の幅やピッチが互いに等しいとは、製造バラツキや材料の異方性といった不可避的な原因による誤差を許容するものである。同様に、溝９２同士が平行および凸条９３同士が平行とは、上述したような不可避的な原因による誤差を許容する概念である。
【０１２４】
なお、回折光学部９の固定方法は、特に限定されない。例えば、反射部６の一部に接するように固定されていてもよく、反射部６から離間してフレーム２に固定されていてもよい。
【０１２５】
以上、第１実施形態について説明したが、本発明の実施形態は第１実施形態に限定されず、例えば、信号光Ｌ１と外界光Ｌ２とでＴＥ波とＴＭ波とが入れ替わっていてもよい。その場合、ＴＭ波である信号光Ｌ１を回折させるとともに、ＴＥ波である外界光Ｌ２を回折させないように、複屈折部９４の構成を適宜変更するようにすればよい。
【０１２６】
また、回折光学部９は、上述したように１対の回折格子が一体化してなるものであってもよいが、各々独立した２枚の回折格子を対向配置してなるものであってもよい。
【０１２７】
≪第２実施形態≫
次に、本発明の画像表示装置の第２実施形態について説明する。
【０１２８】
図７は、第２実施形態に係る画像表示装置の作用を模式的に説明するための図である。また、図８（ａ）は、図７に示す回折光学部９をＹ軸方向から見た図であり、図８（ｂ）は、回折光学部９をＸ軸方向から見た図である。
【０１２９】
以下、第２実施形態について説明するが、以下の説明では、前述した第１実施形態との相違点を中心に説明し、同様の事項についてはその説明を省略する。また、図において、前述した実施形態と同様の事項については、同一符号を付している。
【０１３０】
第２実施形態に係る回折光学部９は、回折格子の格子パターンが異なる以外、第１実施形態に係る回折光学部９と同様である。
【０１３１】
すなわち、本実施形態に係る回折光学部９は、図８に示すように、信号光Ｌ１や外界光Ｌ２の回折光学部９への入射方向（Ｘ軸方向）から見たとき、それぞれ、複屈折材料で構成された正方形をなす複屈折部９４（第１領域）と、非複屈折材料（等方性屈折率材料）で構成された正方形をなす凸部９３’（第２領域）とが、Ｙ軸方向およびＺ軸方向に沿って交互に並ぶように配置されている。換言すれば、回折光学部９は、等方性屈折率材料からなる格子パターンである正方形をなす凸部９３’と、複数の凸部９３’の間に複屈折材料が充填された複屈折部９４と、を備えている。さらに、換言すれば、正方形をなす複屈折部９４のうち、任意の２つは、それぞれの辺を互いに共有しないように配置されている。その結果、複数の複屈折部９４は、その対角線方向に隣接するように配列することとなる。同様に、正方形をなす凸部９３’のうち、任意の２つは、それぞれの辺を互いに共有しないように配置されている。その結果、複数の凸部９３’は、その対角線方向に隣接するように配列することとなる。
【０１３２】
したがって、本実施形態に係る回折光学部９が備える１対の回折格子の格子パターンは、図８（ｂ）に示すように、Ｙ軸方向において凸部９３’と複屈折部９４とが交互に並ぶように配置されており、かつ、Ｚ軸方向においても凸部９３’と複屈折部９４とが交互に並ぶように配置されたパターンとなる。
【０１３３】
また、本実施形態においても、回折光学部９が備える１対の回折格子は、その格子パターンが互いに等価である。具体的には、本実施形態に係る回折光学部９は、図８に示すように、基板９１と、基板９１の両面（両側の板面）にそれぞれ設けられた凹部９２’と、凹部９２’に隣り合う凸部９３’と、凹部９２’内にそれぞれ設けられた複屈折部９４と、を備えている。換言すれば、基板９１の両側の板面に複数の凹部９２’が設けられ、凹部９２’に複屈折材料が充填されることによって複屈折部９４を構成している。
【０１３４】
そして、基板９１の一方の主面に形成される凸部９３’の一辺の長さは、他方の主面に形成される凸部９３’の一辺の長さと等しく、また、基板９１の一方の主面に形成される複屈折部９４の一辺の長さは、他方の主面に形成される複屈折部９４の一辺の長さと等しくなっている。また、基板９１の一方の主面において凸部９３’と複屈折部９４とが交互に並ぶ方向と、他方の主面において凸部９３’と複屈折部９４とが交互に並ぶ方向とが、一致している。
【０１３５】
このような回折光学部９に対して、図７に示すように、ＴＭ波である外界光Ｌ２が入射する場合は、第１実施形態と同様、回折光学部９が外界光Ｌ２に対し回折格子として機能しない。このため、外界光Ｌ２の光束は、回折光学部９で回折されることなく透過し、使用者の眼ＥＹに入射する。その結果、使用者は、歪みや滲み等の少ない外界像を視認することができる。
【０１３６】
一方、回折光学部９に対して、図７に示すように、ＴＥ波である信号光Ｌ１が入射する場合は、回折光学部９は信号光Ｌ１に対し回折格子として機能する。このため、信号光Ｌ１は、回折光学部９で回折され、Ｚ軸方向のみでなくＹ軸方向にも分割（分岐）されつつ透過する。これにより、２次元的に複数に分割された信号光Ｌ１の光束が、使用者の眼ＥＹに入射する。このようにして２次元的に分割された信号光Ｌ１の光束で構成される射出瞳は、２次元的に拡大されたものとなる。このため、視野欠けが生じるのを抑制しつつ、Ｚ軸方向のみでなくＹ軸方向における瞳の移動も許容されることとなる。その結果、より視認性の高い画像表示装置１が得られる。
このような第２実施形態においても、第１実施形態と同様の作用、効果が得られる。
【０１３７】
≪第３実施形態≫
次に、本発明の画像表示装置の第３実施形態について説明する。
【０１３８】
図９は、本発明の画像表示装置の第３実施形態（ヘッドアップディスプレイ）を示す図である。なお、図９では、説明の便宜上、互いに直交する３つの軸として、Ｘ軸、Ｙ軸およびＺ軸を図示しており、その図示した矢印の先端側を「＋（プラス）」、基端側を「−（マイナス）」とする。また、Ｘ軸に平行な方向を「Ｘ軸方向」、Ｙ軸に平行な方向を「Ｙ軸方向」、Ｚ軸に平行な方向を「Ｚ軸方向」という。
【０１３９】
以下、第３実施形態について説明するが、以下の説明では、前述した第１、第２実施形態との相違点を中心に説明し、同様の事項についてはその説明を省略する。また、図において、前述した実施形態と同様の構成については、同一符号を付している。
【０１４０】
第３実施形態に係る画像表示装置１は、使用者の頭部に装着されるのではなく、自動車の天井部に装着されて使用されるものである以外、第１、第２実施形態に係る画像表示装置１と同様である。
【０１４１】
すなわち、第３実施形態に係る画像表示装置１は、自動車ＣＡの天井部ＣＥに装着して使用され、使用者に虚像による画像を、自動車ＣＡのフロントウィンドウＷを介して外界像と重畳した状態で視認させる。
【０１４２】
この画像表示装置１は、図９に示すように、信号生成部３および走査光出射部４を内蔵する光源ユニットＵＴと、反射部６と、光源ユニットＵＴと反射部６と接続するフレーム２’と、偏光板８と、回折光学部９と、を備える。なお、図９では、フレーム２’と偏光板８とを固定する部材や、フレーム２’と回折光学部９とを固定する部材の図示を省略している。
【０１４３】
また、本実施形態では、光源ユニットＵＴ、フレーム２’、反射部６、偏光板８および回折光学部９を、自動車ＣＡの天井部ＣＥに装着している場合を例に説明するが、これらを自動車ＣＡのダッシュボード上に装着してもよいし、一部の構成をフロントウィンドウＷに固定するようにしてもよい。さらに、画像表示装置１は、自動車のみならず、航空機、船舶、建設機械、重機、二輪車、自転車、宇宙船のような各種移動体に装着されるものであってもよい。
【０１４４】
以下、画像表示装置１の各部を順次詳細に説明する。
光源ユニットＵＴは、いかなる方法で天井部ＣＥに固定されていてもよいが、例えばバンドやクリップ等を用いてサンバイザーに装着する方法により固定される。
【０１４５】
フレーム２’は、例えば１対の長尺状の部材を備えており、光源ユニットＵＴと反射部６のＺ軸方向の両端とを接続することにより、光源ユニットＵＴと反射部６とを固定している。
【０１４６】
光源ユニットＵＴは、信号生成部３および走査光出射部４を内蔵しており、走査光出射部４からは反射部６に向けて信号光Ｌ１が出射される。
【０１４７】
本実施形態に係る反射部６も、ハーフミラーであり、外界光Ｌ２を透過させる機能を有する。すなわち、反射部６は、光源ユニットＵＴからの信号光Ｌ１（映像光）を反射させるとともに、使用時において自動車ＣＡ外からフロントウィンドウＷおよび偏光板８を経て使用者の眼ＥＹに向かう外界光Ｌ２を透過させる機能を有する。これにより、使用者は、外界像を視認しながら、信号光Ｌ１により形成された虚像（画像）を視認することができる。すなわち、シースルー型のヘッドアップディスプレイを実現することができる。
【０１４８】
また、本実施形態に係る回折光学部９も、第１実施形態と同様、１対の回折格子の格子パターンは、信号光Ｌ１や外界光Ｌ２の伝搬方向（Ｘ軸方向）から見たとき、それぞれ、複屈折材料で構成された線状の複屈折部（第１領域）と、非複屈折材料（等方性屈折率材料）で構成された線状の凸条（第２領域）とが、Ｚ軸方向に沿って交互に並ぶように配置されたパターンになっている。すなわち、回折光学部９が備える１対の回折格子の格子パターンは、互いに等価であるといえる。
【０１４９】
その上で、非複屈折材料の屈折率をｎ０とし、複屈折部のＴＥ波（Ｙ軸方向に振動する光）についての屈折率をｎ１とし、複屈折部のＴＭ波（Ｚ軸方向に振動する光）についての屈折率をｎ２としたとき、屈折率ｎ０と屈折率ｎ２とが互いに等しくなるように、非複屈折材料および複屈折材料が適宜選択され、かつ、複屈折部９４が構成されている。
【０１５０】
このような回折光学部９に対して、偏光板８によってＴＭ波に偏光した外界光Ｌ２が入射するとき、第１実施形態と同様、回折光学部９は外界光Ｌ２に対して回折格子として機能しないので、外界光Ｌ２の光束は、回折光学部９で回折させることなく透過し、使用者の眼ＥＹに入射する。その結果、使用者は、歪みや滲み等の少ない外界像を視認することができる。
【０１５１】
一方、回折光学部９に対して、ＴＥ波である信号光Ｌ１が入射するとき、第１実施形態と同様、回折光学部９は信号光Ｌ１に対して回折格子として機能する。このため、信号光Ｌ１は、回折光学部９で回折され、Ｚ軸方向に沿って光束が複数に分割（分岐）されつつ透過する。これにより、複数に分割された信号光Ｌ１の光束が、使用者の眼ＥＹに入射する。その結果、使用者は、画像情報に応じた虚像を、さらに複数に複製した像を視認することができる。
【０１５２】
このようにして信号光Ｌ１が分割されると、信号光Ｌ１が複数本の光束で構成されることになるため、その出射瞳は、１本の光束で構成される出射瞳よりも実質的に大きくなる。このため、出射瞳が拡大された分だけ、視野欠け（ケラレ）が生じるのを抑制しつつ、眼ＥＹの瞳が一定量移動することが許容されることとなる。その結果、使用者は、瞳が意図せず動いた場合でも、本来の画像を視認することができ、視認性の高い画像表示装置１が得られる。
【０１５３】
したがって、このような画像表示装置１によれば、簡易な構成にもかかわらず、外界像に画像を重畳させるシースルー性と、外界像および画像の高い視認性と、を両立させることができる。
【０１５４】
このような第３実施形態においても、第１、第２実施形態と同様の作用、効果が得られる。
【０１５５】
以上、本発明の画像表示装置について、図示の実施形態に基づいて説明したが、本発明は、これらに限定されるものではない。
【０１５６】
例えば、本発明の画像表示装置では、各部の構成は、同様の機能を発揮する任意の構成のものに置換することができ、また、任意の構成を付加することもできる。
また、反射部は、平面の反射面を備えていてもよい。
【０１５７】
また、本発明の画像表示装置の実施形態は、上述したヘッドマウントディスプレイやヘッドアップディスプレイに限定されず、網膜走査方式の表示原理を有し、かつシースルー性を有する形態であればいかなる形態にも適用可能である。
【符号の説明】
【０１５８】
１          画像表示装置
２          フレーム
２’        フレーム
３          信号生成部
４          走査光出射部
５          接続部
６          反射部
８          偏光板
９          回折光学部
１０        反射部
１７        コイル
１８        信号重畳部
２１        ノーズパッド部
２２        フロント部
２３        テンプル部
２４        モダン部
２５        リム部
２６        ブリッジ部
２７        凹部
３１        信号光生成部
３２        駆動信号生成部
３３        制御部
３４        光検出部
３５        固定部
４１        ハウジング
４２        光走査部
４３        レンズ
４５        レンズ
４６        支持部材
７１        第１光ファイバー
７２        第２光ファイバー
９１        基板
９２        溝
９２’      凹部
９３        凸条
９３’      凸部
９４        複屈折部
３１１      光源部
３１１Ｂ    光源
３１１Ｇ    光源
３１１Ｒ    光源
３１２Ｂ    駆動回路
３１２Ｇ    駆動回路
３１２Ｒ    駆動回路
３１３Ｂ    レンズ
３１３Ｇ    レンズ
３１３Ｒ    レンズ
３１４      光合成部
３１４ａ    ダイクロイックミラー
３１４ｂ    ダイクロイックミラー
３１４ｃ    ダイクロイックミラー
３２１      駆動回路
３２２      駆動回路
ＣＡ        自動車
ＣＥ        天井部
ＥＡ        耳
ＥＹ        眼
Ｈ          頭部
Ｌ１        信号光
Ｌ２        外界光
ＮＳ        鼻
ＵＴ        光源ユニット
Ｗ          フロントウィンドウ
【図１】
0006337656.tif 000002
【図２】
0006337656.tif 000003
【図３】
0006337656.tif 000004
【図４】
0006337656.tif 000005
【図５】
0006337656.tif 000006
【図６】
0006337656.tif 000007
【図７】
0006337656.tif 000008
【図８】
0006337656.tif 000009
【図９】
0006337656.tif 000010